(57)【要約】【課題】  撮影光学系の光軸を中心にカメラボディを９０度回転させて撮影操作を行っても同一の写真が得られる撮影装置を提供すること。【解決手段】右手で撮影操作を行うときの通常の姿勢である右利き姿勢と、左手で撮影操作を行うときの通常の姿勢である、該右利き姿勢と比べ撮影光軸を中心に９０度回転した姿勢である左利き姿勢とをこの撮影装置に指示するため、右利き／左利きモード切替スイッチ１４を設ける。この切替スイッチ１４により右利きモードが指定されたら、右手で撮影操作が行われるものとして、また左利きモードが指定されたら左手で撮影操作が行われるものとしてこの撮影装置が有する表示画面に同一姿勢かつ同一画角の画像を表示する。さらに撮影操作が行われたら同一姿勢かつ同一画角の画像データを生成して記録媒体に記録する。【選択図】  図１
2005134656.tif 000002
【特許請求の範囲】
【請求項１】
撮影操作に応じて被写体像を表わす画像データを生成して記録媒体に記録する撮影装置において、
この撮影装置は、右手で撮影操作を行うときの通常の姿勢である右利き姿勢と、左手で撮影操作を行うときの通常の姿勢である、該右利き姿勢と比べ撮影光軸を中心に９０°回転した姿勢である左利き姿勢とが想定されたものであって、
前記右利き姿勢で撮影操作が行われることを予定した右利きモードと、前記左利き姿勢で撮影操作が行われることを予定した左利きモードとを切り替えるモード切替部と、
同一被写体を、前記右利きモードにあるときに前記右利き姿勢で撮影したときと前記左利きモードにあるときに前記左利き姿勢で撮影したときとで同一姿勢かつ同一画角の画像を表わす記録用画像データを生成する画像生成部と、
前記画像生成部で生成された記録用画像データを記録媒体に記録する画像記録部とを備えたことを特徴とする撮影装置。
【請求項２】
画像表示パネルを有し該画像表示パネル上に画像を表示する画像表示部を備え、
前記画像生成部は、前記右利きモードにあるときにこの撮影装置を前記右利き姿勢に保持して前記画像表示パネルを見たときと前記左利きモードにあるときにこの撮影装置を前記左利き姿勢に保持して前記画像表示パネルを見たときとで同一姿勢かつ同一画角の画像を表わす表示用画像データを生成するものであって、
前記画像表示部は、前記画像表示パネルに、前記画像生成部で生成された表示用画像データに基づく画像を表示するものであることを特徴とする請求項１記載の撮影装置。
【発明の詳細な説明】
【技術分野】
【０００１】
本発明は、撮影操作に応じて被写体像を表わす画像データを生成し、その生成した画像データを記録媒体に記録する撮影装置に関する。
【背景技術】
【０００２】
撮影装置例えばカメラの中には、右手でも左手でも撮影操作を行なえるように複数のレリーズ釦を配置したものがある（例えば特許文献１参照）。このような撮影装置では右利きの人、左利きの人どちらの人でも一台の撮影装置で同じように撮影を行なえる。また、撮影場面によっては、右利きの人が左手の指で撮影操作を行なっても良い。
【０００３】
しかしながら、複数のレリーズ釦を設けるとなると、レリーズ釦を配設するだけの大きさが必要になるばかりでなく、制御手段例えばＣＰＵへの入力信号数が増えて、ＣＰＵ側の処理が複雑になるという問題がある。
【０００４】
このような問題に鑑みて、レリーズ釦を複数設けずに撮影装置に予め配設されている他の操作子に、モードに応じてレリーズ釦の機能を果たさせるようにしたものが提案されている（例えば、特許文献２参照）。
【０００５】
ところで、右手でレリーズ操作を行なうにしても左手でレリーズ操作を行なうにしても、撮影場面によっては、撮影装置をその撮影装置に配備されている撮影光学系の光軸を中心として９０°回転させて撮影を行なう場合がある。このように９０°回転させて撮影を行なった場合には、９０°回転させる前と撮影画角が変わり、背景まで含めると若干雰囲気の異なる写真になってしまう。
【特許文献１】特開２００１−３１８４２１号公報
【特許文献２】特開２００１−２５７９１７号公報
【発明の開示】
【発明が解決しようとする課題】
【０００６】
本発明は、上記事情に鑑み、撮影光学系を撮影光軸を中心として９０°回転させて、撮影操作を行っても同一の写真が得られる撮影装置を提供することを目的とする。
【課題を解決するための手段】
【０００７】
上記目的を達成する本発明の撮影装置は、撮影操作に応じて被写体像を表わす画像データを生成して記録媒体に記録する撮影装置において、
この撮影装置は、右手で撮影操作を行うときの通常の姿勢である右利き姿勢と、左手で撮影操作を行うときの通常の姿勢である、その右利き姿勢と比べ撮影光軸を中心に９０度回転した姿勢である左利き姿勢とが想定されたものであって、
上記右利き姿勢で撮影操作が行われることを予定した右利きモードと、上記左利き姿勢で撮影操作が行われることを予定した左利きモードとを切り替えるモード切替部と、
同一被写体を、上記右利きモードにあるときに上記右利き姿勢で撮影したときと上記左利きモードにあるときに上記左利き姿勢で撮影したときとで同一姿勢かつ同一画角の画像を表わす記録用画像データを生成する画像生成部と、
上記画像生成部で生成された記録用画像データを記録媒体に記録する画像記録部とを備えたことを特徴とする。
【０００８】
上記本発明の撮影装置によれば、上記右利き姿勢で撮影が行われることが予定されたときと、上記左利き姿勢で撮影が行われることが予定されたときとを、予め上記モード切替部により切り替えることで、９０°回転させる前と９０°回転させた後とで同一姿勢かつ同一画角の画像を表わす記録用画像データが画像生成部により生成される。このように、上記右手姿勢で撮影を行なうか、左手姿勢で撮影を行なうかを、上記モード切替部を切り替えて撮影装置内の画像生成部にどちらの姿勢で撮影を行うかを予め通知することで、上記課題が達成される。
【０００９】
さらに、画像表示パネルを有しその画像表示パネル上に画像を表示する画像表示部を備え、
上記画像生成部は、上記右利きモードにあるときにこの撮影装置を上記右利き姿勢に保持して上記画像表示パネルを見たときと上記左利きモードにあるときにこの撮影装置を前記左利き姿勢に保持して上記画像表示パネルをみたときとで同一姿勢かつ同一画角の画像を表わす表示用画像データを生成するものであって、
上記画像表示部は、上記画像表示パネルに、上記画像生成部で生成された表示用画像データに基づく画像を表示するものであることが好ましい。
【００１０】
このように、上記右利きモードにあるときにこの撮影装置を上記右利き姿勢に保持して上記画像表示パネルを見たときと上記左利きモードにあるときにこの撮影装置を上記左利き姿勢に保持して上記画像表示パネルをみたときとで同一姿勢かつ同一画角の画像を表わす表示用画像データを生成するものであると、この撮影装置を上記右利き姿勢で保持しても、上記左利き姿勢で保持しても、その画像表示部に表示されている同一姿勢かつ同一画角の画像を見ながら撮影が行われる。
【発明の効果】
【００１１】
以上、説明したように、撮影光学系を９０°回転させて、撮影操作を行っても同一の写真が得られる撮影装置が実現される。
【発明を実施するための最良の形態】
【００１２】
以下図面を参照して本発明の実施の形態を説明する。
【００１３】
図１は、本発明の一実施形態である撮影装置にあたるデジタルカメラの外観を示す図である。図１（ａ）には背面図が示されており、図１（ｂ）には上面図が示されている。
【００１４】
図１（ａ）に示すようにカメラボディの稜角部が面取りされてその斜面にレリーズ釦１２が配備されている。カメラボディ１ａ背面側には画像表示部として表示パネル１５が設けられており、この表示パネル１５はファインダとしても用いられる。この表示パネル１５に表示されている被写体を見ながらレリーズ釦１２が押下され撮影が行われる。このデジタルカメラ１では、このデジタルカメラ１のカメラボディ１ａを右手で保持しても、左手で保持しても、その保持している手に邪魔されない位置に撮影レンズ１１、表示パネル１５などの撮影に必要な部品がそれぞれ配置されている。
【００１５】
また、レリーズ釦１２の近傍には撮影操作を人差し指で行ったときに親指で操作を行える位置にズーム釦１３が配備されている。さらにそのズーム釦１３の下方には、右手モード、左手モードを切り替える切替スイッチ１４が配備されている。この切替スイッチが本発明にいうモード切替部にあたる。
【００１６】
このデジタルカメラ１は、右手で撮影操作を行うときの通常の姿勢である右利き姿勢と、左手で撮影操作を行うときの通常の姿勢である、その右利き姿勢と比べ撮影光軸を中心に９０度回転した姿勢である左利き姿勢とが想定されたものであって、右利き姿勢で撮影操作が行われることが予定されているときには上記切替スイッチ１４が右利きモード側に切り換えられ、左利き姿勢で撮影操作が行われることが予定されているときには上記切替スイッチ１４が左利きモード側に切り替えられる。このように予め、右利き姿勢、左利き姿勢のどちらで撮影を行なうかがこの切替スイッチ１４により切り替えられると、その切替スイッチ１４の切替位置に応じてデジタルカメラ内部の画像生成部（後述する）で同一姿勢かつ同一画角の画像データが生成される。
【００１７】
図２は右利き姿勢および左利き姿勢を説明する図である。
【００１８】
図２（ａ）には右利き姿勢を説明する図が示されており、図２（ｂ）には左利き姿勢を説明する図が示されている。
【００１９】
図２（ａ）に示す右利き姿勢においては、モード切替スイッチ１４が右利き側に切り替えられてカメラボディ１ａが縦長になるようにカメラボディの端部が右手で保持されて撮影が行われる。このときには、横長になっている表示パネル１５に撮影レンズ１１を通して得た被写体像が表示される。これに対し、図２（ｂ）に示す左利き姿勢においては、モード切替スイッチ１４が左利き側に切り替えられてカメラボディ１ａが横長になるようにカメラボディ１ａ端部が保持されて撮影が行われる。このときには、表示パネル１５が縦長になって撮影レンズ１１を通して得た被写体像がその縦長になっている表示パネル１５上に表示される。
【００２０】
これらの右利き姿勢、左利き姿勢いずれであっても同一の被写体を同一姿勢かつ同一撮影画角での撮影を行えるように、デジタルカメラ内部の画像生成部（後述する）で同一姿勢かつ同一撮影画角の表示用画像データが生成され、その表示用画像データに基づく画像が図３に示す如く表示パネル１５上に表示されている。なお、撮影レンズ１１の上方にはどちらの姿勢で撮影を行なっても手に邪魔されない位置に設けられた閃光発光窓１６が図示されている。
【００２１】
図３は、図２（ａ）に示す右利き姿勢で撮影されるときの画像が画像表示部の表示パネル１５に表示された場合の例を示す図であり、また図２（ｂ）に示す左利き姿勢で撮影されるときの画像が画像表示部の表示パネル１５に表示された場合の例を示す図である。
【００２２】
図３（ａ）に示すように切替スイッチ１４が右利き側に切り替えられて右利き姿勢で撮影が行われる場合には、画像データの左右が切り取られて縦横比（ａ：ｂ）の画像データに基づく画像が表示され、その切り取られた部分に撮影情報が表示されている。また、左利き姿勢で撮影が行われた場合には、画像データの上下が切り取られて縦横比（ａ：ｂ）の画像データに基づく画像が表示され、さらにその切り取られた部分に撮影情報が表示されている。このように撮影情報とともに表示パネル上に表示されている画像はどちらも同一姿勢かつ同一撮影画角を有するもので、モード切替スイッチが予め操作されたことがカメラ内部に伝えられて、同一姿勢かつ同一画角を有する表示用画像データが後述する画像生成部で生成されて、その表示用画像データに基づく画像が表示パネル上１５に表示されている。
【００２３】
なお、ここでは、同一姿勢かつ同一画角の表示用画像データを生成して表示パネル１５に表示させ、さらに表示画面の空き領域に撮影情報を表示させているが、空き領域を黒帯で表示させるようにしておいても良い。
【００２４】
ここで、レリーズ釦の押下により撮影操作が行われた場合には、その表示画面に表示されている同一姿勢かつ同一画角の画像を表わす画像データに圧縮処理などの所定の処理が施されて記録用画像データとしてメモリカードに記録される。このメモリカードに記録用画像データが記録されるときには、表示パネル１５に表示されている撮影情報がヘッダ情報として画像データに付加されてメモリカードに画像ファイルとして記録される。
【００２５】
図４はこのデジタルカメラ１内部の構成を示す構成ブロック図である。
【００２６】
このデジタルカメラ１には電池装填室（図示せず）があり、その電池装填室に電池１６０が装填されて電力が図４に示す各部に供給される。その電力の供給を受けて、システム制御回路部によりこのデジタルカメラの動作が統括的に制御される。
【００２７】
ここで、ファインダ代わりに使用される表示パネル１５上に画像をスルー画像として表示する場合の処理を説明する。
【００２８】
撮影レンズ１１と撮像素子（図示せず）とを含む撮影部１０１で被写体像を表わす画像データが生成され、その生成された画像データが画像生成部１０２に供給される。この撮影部での画像の生成は所定の間隔ごとに行われて、その所定の間隔ごとに生成された画像データが次々に画像生成部１０２に供給される。
【００２９】
画像生成部１０２では、その次々に供給される画像データを受けて、順番に処理を施して先に供給されてくる画像データから順番に画像表示部１５０に供給する。画像表示部１５０では、順番に供給されてくる画像データを受けて、画像データを順次切り替えて画像表示部１５０が備える表示パネル１５上に画像データに基づく画像を表示する。この画像生成部１０２は、図３（ａ）に示すように右利きモードにあるときにこの撮影装置を右利き姿勢に保持して画像表示パネルを見たときと、図３（ｂ）に示すように左利きモードにあるときにこの撮影装置を左利き姿勢に保持して画像表示パネルをみたときとで同一姿勢かつ同一画角の画像を表わす表示用画像データを生成するものであって、画像表示部１５０は、表示パネル１５に、画像生成部１０２で生成された表示用画像データに基づく画像を表示するものである。したがって、切替スイッチ１４が右利きモード側に切り替えられていることがシステム制御回路から画像処理部１０２に通知されている場合には、画像処理部１０２によって、図３（ａ）に示すように撮影情報を含めた表示用画像データが生成され、また左利きモード側に切替スイッチ１４が切り替えられていた場合には、図３（ｂ）に示すように撮影情報を含めた表示用画像データが生成される。
【００３０】
このようにして、撮影情報とともに、撮影レンズの捉えている画像がスルー画像として表示パネル１５上に同一姿勢、同一撮影画角の画像で表示されている最中にレリーズ釦１２が押下されると、記録用画像データが生成され、その記録用画像データとともに撮影情報がメモリカードに画像ファイルとして記録される。
【００３１】
以下、撮影処理を説明する。
【００３２】
まず、切替スイッチ１４の切り替え位置に応じた信号がシステム制御回路部１００内に供給される。システム制御回路部１００では、その信号を受けて、画像生成部１０２に右利きモードであるか、左利きモードであるかを通知する。図３に示すように表示用画像データに基づく画像を表示パネルに表示させている最中に、操作部１１０内のレリーズ釦１２が押下されたら、その押下のタイミングでシステム制御回路部１００から撮影部１０１に露光開始の指示が与えられ、所定の露光時間を経た後、画像生成部１０２に撮影部１０１で生成された画像データが出力される。
【００３３】
この画像生成部１０２には、予め、右利き／左利きモード切替スイッチのスイッチ位置に応じて右手姿勢で撮影が行われるか、左手姿勢で撮影が行われるかの指示が与えられているので、右利きモードに切り換えられ、右手姿勢で撮影が行われることが予め通知されていた場合には、画像生成部１０２により、撮影部１０１から出力された画像データの左右を切り取り、図３（ａ）に示す縦横比（ａ：ｂ）を有する画像データが生成される。
【００３４】
また、左利きモードに切り換えられ、左手姿勢で撮影が行われることが予め画像生成部に通知されていた場合には、画像生成部により、撮影部１０１から出力された画像データの上下端部を切り取り、図３（ｂ）に示す縦横比（ａ：ｂ）を有する画像データが生成される。
【００３５】
この画像データは、撮影部１０１で生成された高解像度の画像データであり、さらに画像生成部１０２内で圧縮されてメモリカード１０３に記録される。このメモリカード１０３に記録されるときには、左右両端部あるいは上下両端部に表示されていた撮影情報がヘッダとして付加されて、メモリカードに画像データが画像ファイルとして記録される。この画像ファイルの中の画像データが本発明にいう記録用画像データにあたる。
【００３６】
このようにすることで、右利きモードに切り換えられ右手姿勢で撮影が行われても、左利きモードに切り換えられ左手姿勢で撮影が行われても、同一姿勢かつ同一画角の記録用画像データがメモリカードに記録される。
【００３７】
ここで、このメモリカードに記録された記録用画像データを再生する時の処理を簡単に説明しておく。
【００３８】
このデジタルカメラは再生モードを有するもので、図示しないモードレバーが再生モード側に切り替えられると、記録用画像データに基づく画像が表示画面に表示される。このときには、メモリカード１０３から画像ファイルが読み出されて、画像ファイルの中の画像データに基づく画像とともにヘッダ内にある撮影情報がモード切替スイッチの切替位置に応じて図３（ａ），図３（ｂ）に示すように表示される。
【００３９】
この再生にあっては、左手姿勢で記録された画像データに基づく画像が右手姿勢で表示される場合や右手姿勢で記録された画像データに基づく画像が左手姿勢で表示される場合もあるため、これらの場合には、画像生成部１０２で撮影情報に回転処理が施されて画像データに基づく画像が図３（ａ）、（ｂ）に示すように撮影情報とともに表示される。
【００４０】
以上説明した撮影処理を行うシステム制御回路部１００の処理手順を、図５を参照して説明する。
【００４１】
図５は、システム制御回路部１００が行う撮影処理の処理手順を示すフローチャートである。
【００４２】
ステップＳ５０１で、切替スイッチ１４が左利きモード側に切り替えられているかどうかを判定する。この切替スイッチ１４が左利き側に切り替えられていたら、ステップ５０１でＹと判定されステップＳ５０２へ移行して撮像素子で生成された画像の上下を切り取り、左手姿勢で撮影された場合の画像データと同一姿勢、同一撮影画角になるように画像生成部に表示用画像データを生成させ、その表示用画像データに基づく画像（図３（ｂ）参照）を表示する。
【００４３】
また、このステップＳ５０４で切替スイッチ１４が右利き側に切り替えられていると判定されたら、Ｎ側へ移行してＳ５０５で撮像素子で生成された画像の左右端部を切り取り、左手姿勢で撮影された場合の画像データと同一姿勢、同一撮影画角になるように画像生成部に表示用画像データを生成させ、その表示画像データに基づく画像（図３（ａ）参照）を表示する。
【００４４】
以上のステップが撮影レンズの向けられた被写体を、表示パネル上にスルー画像として表示する場合の処理手順である。
【００４５】
ステップＳ５０６〜ステップＳ５０９の間にレリーズ釦の押下により撮影操作が行われない限り、またパワーオフ操作が行われない限り、ステップＳ５０１からステップＳ５０３またはＳ５０１を経由してＳ５０４からＳ５０５の処理を繰り返し行なう。
【００４６】
次に撮影処理を説明する。
【００４７】
ステップＳ５０１〜Ｓ５０３またはＳ５０１を経由してＳ５０４からステップＳ５０５の処理ステップを経てスルー画像が表示されているときに、レリーズ操作が行われたら、次のステップＳ５０６でレリーズ釦１２が押されたと判定して、Ｙ側に進み撮影画像の記録を行なう。このときには画像生成部１０２で圧縮処理などを施し、その圧縮処理を施した画像データをヘッダとともに画像ファイルとしてメモリカード１０３に記録する。
【００４８】
ステップＳ５０６でレリーズ釦１２が押されていなかったらＮ側に進み、ステップＳ５０８でパワーオフＳＷ（図示せず）が押されたかどうかを判定して、このステップＳ５０８でもパワーオフＳＷが押されていなかったら、次のレリーズ釦の押下による撮影操作に備えて、ステップＳ５０１に戻ってステップＳ５０１からステップＳ５０３またはＳ５０１を経由してＳ５０４からＳ５０５の処理を繰り返し行なってスルー画像の表示を行なう。
【００４９】
以上がシステム制御回路部１０１により行われる撮影処理の手順である。
【００５０】
このように、切替スイッチ１４の切替位置に応じて、右手姿勢で撮影が行われても、左手姿勢で撮影が行われても、同一姿勢、同一画角の画像データが生成され、メモリカードに記録される。
【００５１】
図６は、表示パネル１５Ａを正方形にして同一姿勢、同一撮影画角の画像を表示するようにした例を示す図である。
【００５２】
このように表示パネル１５Ａを正方形にすると、右手姿勢、左手姿勢であっても撮影情報とともに画像が同じように表示されるため、表示パネル１５が長方形であった場合に比べて撮影者に対して同一の被写体を撮影しているという感覚をより与え易くなる。
【００５３】
図７は右手姿勢、左手姿勢どちらの手でも撮影を自在に行えるカメラの別の例である。
【００５４】
図７に示すようにカメラボディ１ｂが円形であると、面取りを施してその面取りされた斜面にレリーズ釦を設けなくても、使い勝手の良いカメラが実現される。
【図面の簡単な説明】
【００５５】
【図１】本発明の一実施形態である撮影装置にあたるデジタルカメラの外観を示す図である。
【図２】右利き姿勢および左利き姿勢を説明する図である。
【図３】右利き姿勢および左利き姿勢で撮影されるときの画像が画像表示部の表示パネル１５に表示された場合の例をそれぞれ示す図である。
【図４】このデジタルカメラ１内部の構成を示す構成ブロック図である。
【図５】システム制御回路部１００が行う撮影処理の処理手順を示すフローチャートである。
【図６】表示パネル１５Ａを正方形にして同一姿勢、同一撮影画角の画像を表示するようにした例を示す図である。
【図７】右手姿勢、左手姿勢どちらの手でも撮影を自在に行えるカメラの別の例である。
【符号の説明】
【００５６】
１    デジタルカメラ（撮影装置）
１ａ    カメラボディ
１１    撮影レンズ
１２    レリーズ釦
１３    ズーム釦
１４    右利きモード／左利きモード切替スイッチ
１５    表示パネル
１６    閃光発光窓
１００    システム制御回路部
１０１    撮影部
１０２    画像処理部
１０３    メモリカード
１０４    メモリカード制御部
１１０    操作部
１５０    画像表示部（表示パネルを含む）
１６０    電池
【図１】
2005134656.tif 000003
【図２】
2005134656.tif 000004
【図３】
2005134656.tif 000005
【図４】
2005134656.tif 000006
【図５】
2005134656.tif 000007
【図６】
2005134656.tif 000008
【図７】
2005134656.tif 000009